(57)【要約】【課題】複数の表示装置の間における輝度ばらつきを抑制可能な技術を提供することを目的とする。【解決手段】表示装置は、各ＬＥＤの輝度の補正に使用可能な輝度補正係数と、輝度補正係数によって補正された各ＬＥＤの輝度である補正輝度とを記憶する記憶部と、制御装置と通信可能な通信部とを備える。制御装置は、表示装置から送信された補正輝度と、表示装置と同様の他の表示装置から送信された、補正輝度と同様の他の補正輝度とに基づいて補正係数を求める。表示装置は、輝度補正係数と補正係数とに基づき補正された映像データに基づいて、複数のＬＥＤを駆動する駆動部をさらに備える。【選択図】図２
2018109725.tif 000002
【特許請求の範囲】
【請求項１】
複数のＬＥＤを有する表示装置であって、
各前記ＬＥＤの輝度の補正に使用可能な輝度補正係数と、前記輝度補正係数によって補正された前記各ＬＥＤの前記輝度である補正輝度とを記憶する記憶部と、
制御装置と通信可能な通信部と
を備え、
前記制御装置は、
前記表示装置の前記通信部から送信された前記補正輝度と、前記表示装置と同様の他の表示装置から送信された、前記補正輝度と同様の他の補正輝度とに基づいて、前記輝度補正係数を使用する補正に前記補正輝度及び前記他の補正輝度を反映させるための補正係数を求め、
前記表示装置は、
前記輝度補正係数と前記補正係数とに基づき補正された映像データに基づいて、前記複数のＬＥＤを駆動する駆動部をさらに備える、表示装置。
【請求項２】
請求項１に記載の表示装置であって、
前記制御装置は、
前記表示装置の前記通信部からさらに送信された前記輝度補正係数と、求めた前記補正係数とに基づいて、補正すべき映像データを補正し、当該補正された映像データを前記表示装置に送信し、
前記表示装置の前記駆動部は、
前記制御装置から送信された前記映像データに基づいて、前記複数のＬＥＤを駆動する、表示装置。
【請求項３】
請求項２に記載の表示装置であって、
前記制御装置は、
前記表示装置の前記複数のＬＥＤのそれぞれの点灯時間を累積した累積点灯時間と、前記他の表示装置に関して前記累積点灯時間と同様の他の累積点灯時間とを管理し、かつ、前記輝度補正係数と、前記補正係数と、前記累積点灯時間と、前記他の累積点灯時間とに基づいて、前記補正すべき映像データを補正する、表示装置。
【請求項４】
請求項３に記載の表示装置であって、
前記制御装置は、
前記累積点灯時間に基づいて、前記表示装置の前記複数のＬＥＤのそれぞれの輝度維持率を求め、前記他の累積点灯時間に基づいて、前記他の表示装置に関して前記輝度維持率と同様の他の輝度維持率を求め、かつ、前記輝度補正係数と、前記補正係数と、前記輝度維持率と、前記他の輝度維持率とに基づいて、前記補正すべき映像データを補正する、表示装置。
【請求項５】
請求項３または請求項４に記載の表示装置であって、
前記制御装置は、
前記表示装置の前記通信部から送信された前記輝度補正係数と、求めた前記補正係数とに基づいて、初期調整時の初期輝度補正係数を求め、前記初期輝度補正係数と、前記累積点灯時間と、前記他の累積点灯時間とに基づいて、前記補正すべき映像データを補正する、表示装置。
【請求項６】
請求項１に記載の表示装置であって、
前記制御装置は、
前記補正係数を前記表示装置に送信し、
前記表示装置は、
前記記憶部に記憶された前記輝度補正係数と、前記制御装置から送信された前記補正係数とに基づいて、補正すべき映像データを補正する輝度補正部をさらに備え、
前記表示装置の前記駆動部は、
前記輝度補正部で補正された前記映像データに基づいて、前記複数のＬＥＤを駆動する、表示装置。
【請求項７】
請求項１から請求項６のうちのいずれか１項に記載の表示装置を用いる表示システムであって、
前記表示装置及び前記他の表示装置の複数個が配列されてなる配列体と、
前記制御装置と
を備える、表示システム。
【発明の詳細な説明】
【技術分野】
【０００１】
本発明は、複数のＬＥＤ（Light Emitting Diode）を有する表示装置、及び、それを備える表示システムに関する。
【背景技術】
【０００２】
ＬＥＤを有するＬＥＤ表示装置は、ＬＥＤの技術発展と低コスト化により屋外、屋内の広告表示等に多く使用されている。これまで、これらのＬＥＤ表示装置は、自然画及びアニメーションの動画像を表示することが主であった。しかし、近年、例えば会議室の表示用途及び監視用途などの屋内用途のＬＥＤ表示装置、特に監視用途のＬＥＤ表示装置において、画素ピッチの狭ピッチ化に伴い視認距離が短くなったことにより、静止画に近いパソコン画像を表示することが多くなっている。
【０００３】
ところで、ＬＥＤは点灯時間が長くなるにしたがって輝度が低下するため、画像の内容及び配設位置によって、各ＬＥＤの輝度低下率が互いに異なる。この結果、画素ごとに輝度ばらつき、及び、色ばらつきが発生する。これらの輝度ばらつき及び色ばらつきを低減するために、ＬＥＤ表示部の輝度を検出して、輝度データを補正する方法、または、ＬＥＤの表示時間を積算し、積算時間とすでに測定された輝度補正係数とに基づいて輝度を補正する方法が提案されている（例えば、特許文献１及び２）。
【先行技術文献】
【特許文献】
【０００４】
【特許文献１】特開平１１−１５４３７号公報
【特許文献２】特開２００６−３３０１５８号公報
【発明の概要】
【発明が解決しようとする課題】
【０００５】
上述したＬＥＤ表示装置を組み合わせて大画面を表示するＬＥＤ表示システムが知られている。例えば３２０×１８０画素のＬＥＤ表示装置（以下「ＬＥＤユニット」と呼ぶこともある）を、水平方向に６ユニットずつ、垂直方向に６ユニットずつ、組み合わせて配列させたＬＥＤ表示システムは、Ｆｕｌｌ  ＨＤ（１９２０×１０８０画素）の画像を表示することが可能である。
【０００６】
さて、ＬＥＤ表示システムに用いられる各ＬＥＤユニットについては、工場出荷時に１画素単位の輝度の計測及び補正が行われ、ＬＥＤユニットごとに輝度色度が均一となるように調整されている。一方、Ｆｕｌｌ  ＨＤを表示するＬＥＤ表示システムにおいて、全ＬＥＤユニットを同じ輝度に調整するためには、全ＬＥＤユニットの全ＬＥＤの輝度ばらつきを考慮して、全ＬＥＤの輝度を、全ＬＥＤにおける最下限の輝度に調整する必要がある。しかしながら、各ＬＥＤユニットが、当該最下限の輝度のＬＥＤを必ずしも含むとは限らないため、初期設置時の輝度が過度に低下してしまうという問題がある。また、最下限でない輝度を目標輝度として定めて調整しても、通常、目標輝度に到達しないＬＥＤユニットが存在することから、ＬＥＤユニットの組み合わせ後にＬＥＤユニット単位で輝度のばらつきを調整しなければならず、手間がかかるという問題がある。
【０００７】
なお、特許文献２に開示のような方法では、ＬＥＤユニット単位で輝度色度の均一性を高めることは可能である。しかしながら、表示の積算時間はＬＥＤユニットごとに異なり、その結果として輝度低下率もＬＥＤユニットごとに異なることから、ＬＥＤユニット同士の間で輝度色度のばらつきが発生する。また、初期輝度を予め設定しておき、初期輝度を維持するように輝度を制御しても、初期輝度を維持できないＬＥＤユニットがやがて発生して、輝度ばらつき及び色ばらつきが発生し、その結果としてＬＥＤ表示部の画質が低下するという問題がある。また、このような画質の低下が発生した場合には、新しいＬＥＤユニットの交換が必要になるという問題があった。
【０００８】
そこで、本発明は、上記のような問題点を鑑みてなされたものであり、複数の表示装置の間における輝度ばらつきを抑制可能な技術を提供することを目的とする。
【課題を解決するための手段】
【０００９】
本発明に係る表示装置は、複数のＬＥＤを有する表示装置であって、各前記ＬＥＤの輝度の補正に使用可能な輝度補正係数と、前記輝度補正係数によって補正された前記各ＬＥＤの前記輝度である補正輝度とを記憶する記憶部と、制御装置と通信可能な通信部とを備える。前記制御装置は、前記表示装置の前記通信部から送信された前記補正輝度と、前記表示装置と同様の他の表示装置から送信された、前記補正輝度と同様の他の補正輝度とに基づいて、前記輝度補正係数を使用する補正に前記補正輝度及び前記他の補正輝度を反映させるための補正係数を求める。前記表示装置は、前記輝度補正係数と前記補正係数とに基づき補正された映像データに基づいて、前記複数のＬＥＤを駆動する駆動部をさらに備える。
【発明の効果】
【００１０】
本発明によれば、表示装置は、輝度補正係数と、補正輝度及び他の補正輝度を反映する補正係数とに基づき補正された映像データに基づいて、複数のＬＥＤを駆動する。これにより、複数の表示装置の間における輝度ばらつきを抑制することができる。
【図面の簡単な説明】
【００１１】
【図１】実施の形態１に係るＬＥＤ表示システムの構成を示すブロック図である。
【図２】実施の形態１に係るＬＥＤユニットの内部構成を示すブロック図である。
【図３】実施の形態１に係るＬＥＤコントロールユニットの内部構成を示すブロック図である。
【図４】ＰＷＭ方式の駆動の一例を示す図である。
【図５】ＬＥＤの累積点灯時間に対する緑色ＬＥＤの輝度維持率を示す図である。
【図６】ＬＥＤの累積点灯時間に対する赤色、緑色、青色ＬＥＤの輝度維持率のテーブルを示す図である。
【図７】実施の形態２に係るＬＥＤユニットの内部構成を示すブロック図である。
【図８】実施の形態２に係るＬＥＤコントロールユニットの内部構成を示すブロック図である。
【発明を実施するための形態】
【００１２】
＜実施の形態１＞
図１は、本発明の実施の形態１に係る表示装置であるＬＥＤ表示装置、及び、これを備える表示システムであるＬＥＤ表示システムの構成を示すブロック図である。なお、図１のＬＥＤユニット１００は、ＬＥＤ表示装置に相当し、複数の画素である複数のＬＥＤを有している。
【００１３】
本実施の形態１に係るＬＥＤ表示システムは、複数のＬＥＤユニット１００がマトリクス状に配列された全ＬＥＤユニット１０１と、制御装置であるＬＥＤコントロールユニット２００とを備える。この場合、全ＬＥＤユニット１０１は、一のＬＥＤユニット１００及び他のＬＥＤユニット１００の複数個が配列されてなる配列体と呼ぶことができる。
【００１４】
図１の全ＬＥＤユニット１０１は、水平方向に６台ずつ、垂直方向に６台ずつ配列された３６（＝６×６）台のＬＥＤユニット１００によって構成されている。各ＬＥＤユニット１００の画素構成を水平３２０画素×垂直１８０画素とした場合、全ＬＥＤユニット１０１は、１９２０×１０８０画素からなるＦｕｌｌ  ＨＤの一画面に、文字、図形及び画像などを含む映像を表示することが可能である。
【００１５】
ＬＥＤコントロールユニット２００は、ＬＥＤユニット１００に映像信号を配信したり、ＬＥＤユニット１００と制御信号を通信したりすることによって、全ＬＥＤユニット１０１に映像を表示させるユニットである。図１の例では、映像信号の配信及び制御信号の通信を効率よく行うことができるように、全ＬＥＤユニット１０１が３グループに分割され、１２台をグループ単位とする３グループのＬＥＤユニット１００が、ＬＥＤコントロールユニット２００とディジーチェーン接続されている。
【００１６】
図２は、本実施の形態１によるＬＥＤユニット１００の内部構成を示すブロック図である。図２に示すように、ＬＥＤユニット１００は、入力端子２、映像信号処理回路３、駆動部４、ＬＥＤ表示部５、端子６、マイコン回路７、メモリ回路８及び通信部９を備える。
【００１７】
ＬＥＤ表示部５は、マトリクス状に配列された複数のＬＥＤ１を有する。１つのＬＥＤ１は、１つの画素として用いられ、各ＬＥＤ１は、例えば赤（Ｒ）、緑（Ｇ）、青（Ｂ）のＬＥＤなどの３個のＬＥＤを含んでいる。以下では、ＬＥＤ表示部５において、３２０の画素が水平方向に配設され、１８０の画素が垂直方向に配設されている場合を例にして説明する。
【００１８】
入力端子２は、ディジーチェーン接続において前段のＬＥＤユニット１００またはＬＥＤコントロールユニット２００から映像信号を受け取る。なお、映像信号は、全ＬＥＤユニット１０１で表示されるべき映像の映像データを含む信号である。
【００１９】
映像信号処理回路３は、入力端子２で受けた映像信号に対して選択処理などの処理を行う。なお、選択処理では、映像信号処理回路３は、映像信号に含まれる映像のうち、対応する１つのＬＥＤ表示部５が表示すべき映像領域を選択する。
【００２０】
駆動部４は、映像信号処理回路３の処理で得られた信号に基づいて、ＰＷＭ（Ｐｕｌｓｅ Ｗｉｄｔｈ Ｍｏｄｕｌａｔｉｏｎ）方式でＬＥＤ表示部５を駆動する。これにより、複数のＬＥＤ１のそれぞれの各色の輝度が制御され、映像信号処理回路３で選択された映像領域の映像がＬＥＤ表示部５にて表示される。
【００２１】
端子６は、ディジーチェーン接続において前段のＬＥＤユニット１００またはＬＥＤコントロールユニット２００から制御信号を受け取る。なお、制御信号は、輝度補正係数などの制御データを含む信号である。
【００２２】
通信部９は、端子６などを介して、ＬＥＤコントロールユニット２００と通信可能となっている。この通信部９は、ＬＥＤコントロールユニット２００から受信した制御信号をマイコン回路７に出力し、マイコン回路７から入力された制御信号をＬＥＤコントロールユニット２００に送信する。
【００２３】
記憶部であるメモリ回路８は、各種パラメータを記憶している。このパラメータには、例えば、各ＬＥＤ１の輝度の補正に使用可能な輝度補正係数である個別輝度補正係数と、個別輝度補正係数によって補正された各ＬＥＤ１の輝度である補正輝度と、その他の必要な設定値及び調整値とが含まれる。ここで、個別輝度補正係数とは、ＬＥＤユニット１００ごとに個別に求められる係数であって、各ＬＥＤユニット１００内の輝度ばらつき及び色度ばらつきを抑制するための係数である。
【００２４】
マイコン回路７は、ＬＥＤユニット１００の構成要素を統括的に制御する。本実施の形態１では、マイコン回路７は、映像信号処理回路３の制御、駆動部４の制御、通信部９の制御、及び、メモリ回路８への読み出し及び書き込みの制御を行う。
【００２５】
ところで、メモリ回路８には、上述したように個別輝度補正係数及び補正輝度が記憶されている。個別輝度補正係数及び補正輝度は、例えば、各ＬＥＤ１のＲＧＢ輝度、つまり画素単位のＲＧＢ輝度を適宜測定することによって求められる。
【００２６】
ここで、各ＬＥＤユニット１００において、水平画素位置ｕｈ（＝０〜３１９）、垂直画素位置ｕｖ（＝０〜１７９）で指定されるＬＥＤ１の補正前のＲ輝度、Ｇ輝度、Ｂ輝度を、Ｙｒ（ｕｈ，ｕｖ），Ｙｇ（ｕｈ，ｕｖ），Ｙｂ（ｕｈ，ｕｖ）とする。例えば、これら補正前のＲ輝度、Ｇ輝度、Ｂ輝度には、各ＬＥＤ１の最大階調時のＲ輝度、Ｇ輝度、Ｂ輝度が用いられる。また、各ＬＥＤユニット１００における補正前のＲ輝度、Ｇ輝度、Ｂ輝度の最小値をＹｒ＿ｍｉｎ，Ｙｇ＿ｍｉｎ，Ｙｂ＿ｍｉｎとする。
【００２７】
この場合、各ＬＥＤユニット１００において輝度を均一にするための、ＬＥＤ１ごとの個別輝度補正係数Ｃｒ（ｕｈ，ｕｖ），Ｃｇ（ｕｈ，ｕｖ），Ｃｂ（ｕｈ，ｕｖ）は下記の式で示される。
【００２８】
Ｃｒ（ｕｈ，ｕｖ）＝Ｙｒ＿ｍｉｎ／Ｙｒ（ｕｈ，ｕｖ）
Ｃｇ（ｕｈ，ｕｖ）＝Ｙｇ＿ｍｉｎ／Ｙｇ（ｕｈ，ｕｖ）
Ｃｂ（ｕｈ，ｕｖ）＝Ｙｂ＿ｍｉｎ／Ｙｂ（ｕｈ，ｕｖ）
【００２９】
なお、以上のような個別輝度補正係数を用いて補正した場合、個別輝度補正係数によって補正された各ＬＥＤ１００の輝度値、つまり補正輝度はいずれも、Ｙｒ＿ｍｉｎ，Ｙｇ＿ｍｉｎ，Ｙｂ＿ｍｉｎとなる。この結果、輝度が高いＬＥＤ１のＲ輝度、Ｇ輝度、Ｂ輝度は低下することになる。
【００３０】
本実施の形態１では、以上のような画素単位の個別輝度補正係数Ｃｒ（ｕｈ，ｕｖ），Ｃｇ（ｕｈ，ｕｖ），Ｃｂ（ｕｈ，ｕｖ）及び補正輝度Ｙｒ＿ｍｉｎ，Ｙｇ＿ｍｉｎ，Ｙｂ＿ｍｉｎが、メモリ回路８に記憶されている。マイコン回路７の制御により、通信部９は、メモリ回路８に記憶された個別輝度補正係数及び輝度補正をＬＥＤコントロールユニット２００に送信する。
【００３１】
図３は、本実施の形態１に係るＬＥＤコントロールユニット２００の内部構成を示すブロック図である。図３に示すように、ＬＥＤコントロールユニット２００は、入力端子１０、映像信号処理回路１１、輝度補正部１２、制御回路１３、映像信号分割転送部１４，１５，１６、映像出力端子１７，１８，１９、外部制御端子２０、及び、ＬＥＤユニット制御端子２１，２２，２３を備える。
【００３２】
入力端子１０は、外部から映像信号を受け取る。
【００３３】
映像信号処理回路１１は、入力端子１０で受けた映像信号に、ガンマ補正などの処理を行う。輝度補正部１２は、映像信号処理回路１１で処理された映像信号の輝度を補正する。
【００３４】
映像信号分割転送部１４，１５，１６は、映像出力端子１７，１８，１９を介して、３グループのＬＥＤユニット１００の入力端子２（図２）とそれぞれ接続されている。映像信号分割転送部１４，１５，１６は、輝度補正部１２で補正された映像信号を、３グループのＬＥＤユニット１００でそれぞれ表示すべき３つの映像信号に分割し、３つの映像信号を、３グループのＬＥＤユニット１００にそれぞれ送信する。
【００３５】
外部制御端子２０は、外部ＰＣ（Personal Computer）などから、ＬＥＤコントロールユニット２００及びＬＥＤユニット１００を制御するための制御信号を受け取る。
【００３６】
制御回路１３は、ＬＥＤユニット制御端子２１，２２，２３を介して、３グループのＬＥＤユニット１００の端子６（図２）とそれぞれ接続されている。これにより、制御回路１３は、全ＬＥＤユニット１０１に制御信号を送信したり、全ＬＥＤユニット１０１から制御信号を受信したりすることによって、全ＬＥＤユニット１０１を制御することができる。また、制御回路１３は、外部制御端子２０で受けた制御信号と、全ＬＥＤユニット１０１の通信部９から送信された制御信号とに基づいて、輝度補正部１２における映像信号の補正を制御することが可能となっている。
【００３７】
図３の制御回路１３は、点灯時間記憶部２４、補正係数演算部２５、外部制御通信部２６、内部間通信制御部２７、及び、パラメータ記憶部２８を備える。
【００３８】
点灯時間記憶部２４は、一のＬＥＤユニット１００の複数のＬＥＤ１のそれぞれの点灯時間を累積した累積点灯時間と、一のＬＥＤユニット１００と同様の他のＬＥＤユニット１００に関して累積点灯時間と同様の他の累積点灯時間とを記憶して管理している。なお、本実施の形態１では、他のＬＥＤユニット１００は、全ＬＥＤユニット１０１に含まれる複数のＬＥＤユニット１００のうち、一のＬＥＤユニット１００を除くＬＥＤユニット１００が用いられる。この場合、点灯時間記憶部２４は、ＬＥＤコントロールユニット２００で制御する全ＬＥＤユニット１０１に関して、１９２０×１０８０画素の累積点灯時間を記憶する。
【００３９】
外部制御通信部２６は、外部制御端子２０で受けた制御信号に含まれるパラメータをパラメータ記憶部２８に記憶したり、内部間通信制御部２７に出力したりする。また、外部制御通信部２６は、パラメータ記憶部２８に記憶されたパラメータ、及び、内部間通信制御部２７から入力されたパラメータを、外部制御端子２０を介して外部に送信する。
【００４０】
内部間通信制御部２７は、ＬＥＤユニット制御端子２１，２２，２３で受けた制御信号に含まれるパラメータをパラメータ記憶部２８に記憶したり、外部制御通信部２６に出力したり、補正係数演算部２５に出力したりする。また、内部間通信制御部２７は、パラメータ記憶部２８に記憶されたパラメータ、外部制御通信部２６から入力されたパラメータ、補正係数演算部２５から入力されたパラメータを、ＬＥＤユニット制御端子２１，２２，２３を介して全ＬＥＤユニット１０１に送信する。
【００４１】
補正係数演算部２５は、一のＬＥＤユニット１００の通信部９から送信された補正輝度と、他のＬＥＤユニット１００から送信された、補正輝度と同様の他の補正輝度とに基づいて、当該個別輝度補正係数を使用する補正に当該補正輝度及び当該他の補正輝度を反映させるための補正係数を求める。
【００４２】
そして、補正係数演算部２５は、一のＬＥＤユニット１００の通信部９から送信された個別輝度補正係数と、求めた補正係数とに基づいて、一のＬＥＤユニット１００の初期調整時の初期輝度補正係数を求める。本実施の形態１では、補正係数演算部２５は、他のＬＥＤユニット１００についても同様に初期輝度補正係数を求める。
【００４３】
それから、補正係数演算部２５は、点灯時間記憶部２４に記憶されている累積点灯時間及び他の累積点灯時間に基づいて、初期輝度補正係数を非初期輝度補正係数に変更する。ここで、初期輝度補正係数及び非初期輝度補正係数のいずれも、総合輝度補正係数として用いることが可能である。ここで、総合輝度補正係数とは、全ＬＥＤユニット１０１について総合的に求められる係数であって、複数のＬＥＤユニット１００同士の間の輝度ばらつき及び色度ばらつきを抑制するための係数である。以下、非初期輝度補正係数が、総合輝度補正係数として用いられるものとして説明する。
【００４４】
輝度補正部１２は、非初期輝度補正係数、つまり総合輝度補正係数に基づいて、補正すべき映像データを補正する。なお、本実施の形態１では、補正すべき映像データは、映像信号処理回路１１で処理された映像信号に含まれる映像データであり、上記補正は、映像データの輝度に総合輝度補正係数を乗じることによって行われる。
【００４５】
以上を小括すると、ＬＥＤコントロールユニット２００は、個別輝度補正係数と、補正係数と、累積点灯時間と、他の累積点灯時間とに基づいて、補正すべき映像データを補正する。換言すれば、ＬＥＤコントロールユニット２００は、個別輝度補正係数及び補正係数に基づく初期輝度補正係数と、累積点灯時間と、他の累積点灯時間とに基づいて、補正すべき映像データを補正する。さらに換言すれば、ＬＥＤコントロールユニット２００は、初期輝度補正係数、累積点灯時間及び他の累積点灯時間に基づく非初期輝度補正係数を、総合輝度補正係数として用いる。
【００４６】
＜動作＞
次に、本実施の形態１に係るＬＥＤ表示システムの動作、具体的には初期設置時の輝度補正動作について説明する。
【００４７】
まず、ＬＥＤコントロールユニット２００は、個別にＬＥＤユニット１００を制御するために各ＬＥＤユニット１００にＩＤ番号を設定する。図１の例では３６台のＬＥＤユニット１００に、ＩＤ＝１〜３６のＩＤ番号が設定されている。
【００４８】
次に、ＬＥＤコントロールユニット２００に対して、各ＬＥＤユニット１００のＩＤ番号と、１９２０×１０８０の全体画面における画素の座標位置とを関連付ける設定が行われる。各ＬＥＤユニット１００の水平画素サイズをｈｓｉｚｅ（＝３２０）、垂直画素サイズをｖｓｉｚｅ（＝１８０）とすると、各ＬＥＤユニット１００の左上画素の水平方向及び垂直方向における座標位置は下記の式で示される。
【００４９】
ＩＤ１（０，０），ＩＤ２（０，ｖｓｉｚｅ），ＩＤ３（０，２×ｖｓｉｚｅ），…，ＩＤ６（０，５×ｖｓｉｚｅ），
ＩＤ７（ｈｓｉｚｅ，０），ＩＤ８（ｈｓｉｚｅ，ｖｓｉｚｅ），ＩＤ９（ｈｓｉｚｅ，２×ｖｓｉｚｅ），…，ＩＤ１２（ｈｓｉｚｅ，５×ｖｓｉｚｅ），
ＩＤ１３（２×ｈｓｉｚｅ，０），ＩＤ１４（２×ｈｓｉｚｅ，ｖｓｉｚｅ），ＩＤ１５（２×ｈｓｉｚｅ，２×ｖｓｉｚｅ），…，ＩＤ１８（２×ｈｓｉｚｅ，５×ｖｓｉｚｅ），
ＩＤ１９（３×ｈｓｉｚｅ，０），ＩＤ２０（３×ｈｓｉｚｅ，ｖｓｉｚｅ），ＩＤ２１（３×ｈｓｉｚｅ，２×ｖｓｉｚｅ），…，ＩＤ２４（３×ｈｓｉｚｅ，５×ｖｓｉｚｅ），
ＩＤ２５（４×ｈｓｉｚｅ，０），ＩＤ２６（４×ｈｓｉｚｅ，ｖｓｉｚｅ），ＩＤ２７（４×ｈｓｉｚｅ，２×ｖｓｉｚｅ），…，ＩＤ３０（４×ｈｓｉｚｅ，５×ｖｓｉｚｅ），
ＩＤ３１（５×ｈｓｉｚｅ，０），ＩＤ３２（５×ｈｓｉｚｅ，ｖｓｉｚｅ），ＩＤ３３（５×ｈｓｉｚｅ，２×ｖｓｉｚｅ），…，ＩＤ３６（５×ｈｓｉｚｅ，５×ｖｓｉｚｅ）
【００５０】
以上、各ＬＥＤユニット１００のＩＤ番号設定と、ＬＥＤコントロールユニット２００に対するＬＥＤユニット１００のＩＤ番号と１９２０×１０８０の全体画面における画素の座標位置とを関連付ける設定とについて説明した。
【００５１】
これらの設定が完了すると、ＬＥＤコントロールユニット２００は、各ＬＥＤユニット１００から送信された個別輝度補正係数及び補正輝度を取得する。そして、ＬＥＤコントロールユニット２００は、取得した補正輝度に基づいて補正係数を求め、求めた当該補正係数と、取得した個別輝度補正係数とに基づいて、１９２０×１０８０の全体画面の初期輝度補正係数を求める。
【００５２】
以下、初期輝度補正係数を求める動作について詳細に説明する。前提として、「＊」をＩＤ番号として、ＬＥＤコントロールユニット２００が受信した各ＬＥＤユニット１００の個別輝度補正係数を、ＩＤ＊＿Ｃｒ（ｕｈ，ｕｖ），ＩＤ＊＿Ｃｇ（ｕｈ，ｕｖ），ＩＤ＊＿Ｃｂ（ｕｈ，ｕｖ）とする。また、ＬＥＤコントロールユニット２００が受信した各ＬＥＤユニット１００の補正輝度を、ＩＤ＊Ｙｒ＿ｍｉｎ，ＩＤ＊Ｙｇ＿ｍｉｎ，ＩＤ＊Ｙｂ＿ｍｉｎとする。そして、全ＬＥＤユニット１０１における補正輝度の最小値を、Ｕｎｉｔ＿Ｙｒ＿ｍｉｎ，Ｕｎｉｔ＿Ｙｇ＿ｍｉｎ，Ｕｎｉｔ＿Ｙｂ＿ｍｉｎとする。この場合に、ｈ＝０〜１９１９、ｖ＝０〜１０７９とすると、１９２０×１０８０画素の初期輝度補正係数Ｃｒ０（ｈ，ｖ），Ｃｇ０（ｈ，ｖ），Ｃｇ０（ｈ，ｖ）は、下記の式で示される。
【００５３】
［１］ｈ＝０〜３１９，ｖ＝０〜１７９の初期輝度補正係数
Ｃｒ０（ｈ，ｖ）＝ＩＤ１＿Ｃｒ（ｈ，ｖ）×Ｕｎｉｔ＿Ｙｒ＿ｍｉｎ／ＩＤ１＿Ｙｒ＿ｍｉｎ
Ｃｇ０（ｈ，ｖ）＝ＩＤ１＿Ｃｇ（ｈ，ｖ）×Ｕｎｉｔ＿Ｙｇ＿ｍｉｎ／ＩＤ１＿Ｙｇ＿ｍｉｎ
Ｃｂ０（ｈ，ｖ）＝ＩＤ１＿Ｃｂ（ｈ，ｖ）×Ｕｎｉｔ＿Ｙｂ＿ｍｉｎ／ＩＤ１＿Ｙｂ＿ｍｉｎ
［２］ｈ＝０〜３１９，ｖ＝１８０〜３５９の初期輝度補正係数
Ｃｒ０（ｈ，ｖ）＝ＩＤ２＿Ｃｒ（ｈ，ｖ−ｖｓｉｚｅ）×Ｕｎｉｔ＿Ｙｒ＿ｍｉｎ／ＩＤ２＿Ｙｒ＿ｍｉｎ
Ｃｇ０（ｈ，ｖ）＝ＩＤ２＿Ｃｇ（ｈ，ｖ−ｖｓｉｚｅ）×Ｕｎｉｔ＿Ｙｇ＿ｍｉｎ／ＩＤ２＿Ｙｇ＿ｍｉｎ
Ｃｂ０（ｈ，ｖ）＝ＩＤ２＿Ｃｂ（ｈ，ｖ−ｖｓｉｚｅ）×Ｕｎｉｔ＿Ｙｂ＿ｍｉｎ／ＩＤ２＿Ｙｂ＿ｍｉｎ
・・・
［６］ｈ＝０〜３１９，ｖ＝９００〜１０７９の初期輝度補正係数
Ｃｒ０（ｈ，ｖ）＝ＩＤ６＿Ｃｒ（ｈ，ｖ−５×ｖｓｉｚｅ）×Ｕｎｉｔ＿Ｙｒ＿ｍｉｎ／ＩＤ６＿Ｙｒ＿ｍｉｎ
Ｃｇ０（ｈ，ｖ）＝ＩＤ６＿Ｃｇ（ｈ，ｖ−５×ｖｓｉｚｅ）×Ｕｎｉｔ＿Ｙｇ＿ｍｉｎ／ＩＤ６＿Ｙｇ＿ｍｉｎ
Ｃｂ０（ｈ，ｖ）＝ＩＤ６＿Ｃｂ（ｈ，ｖ−５×ｖｓｉｚｅ）×Ｕｎｉｔ＿Ｙｂ＿ｍｉｎ／ＩＤ６＿Ｙｂ＿ｍｉｎ
［７］ｈ＝３２０〜６３９，ｖ＝０〜１７９の初期輝度補正係数
Ｃｒ０（ｈ，ｖ）＝ＩＤ７＿Ｃｒ（ｈ−ｈｓｉｚｅ，ｖ）×Ｕｎｉｔ＿Ｙｒ＿ｍｉｎ／ＩＤ７＿Ｙｒ＿ｍｉｎ
Ｃｇ０（ｈ，ｖ）＝ＩＤ７＿Ｃｇ（ｈ−ｈｓｉｚｅ，ｖ）×Ｕｎｉｔ＿Ｙｇ＿ｍｉｎ／ＩＤ７＿Ｙｇ＿ｍｉｎ
Ｃｂ０（ｈ，ｖ）＝ＩＤ７＿Ｃｂ（ｈ−ｈｓｉｚｅ，ｖ）×Ｕｎｉｔ＿Ｙｂ＿ｍｉｎ／ＩＤ７＿Ｙｂ＿ｍｉｎ
［８］ｈ＝３２０〜６３９，ｖ＝１８０〜３５９の初期輝度補正係数
Ｃｒ０（ｈ，ｖ）＝ＩＤ８＿Ｃｒ（ｈ−ｈｓｉｚｅ，ｖ−ｖｓｉｚｅ）×Ｕｎｉｔ＿Ｙｒ＿ｍｉｎ／ＩＤ８＿Ｙｒ＿ｍｉｎ
Ｃｇ０（ｈ，ｖ）＝ＩＤ８＿Ｃｇ（ｈ−ｈｓｉｚｅ，ｖ−ｖｓｉｚｅ）×Ｕｎｉｔ＿Ｙｇ＿ｍｉｎ／ＩＤ８＿Ｙｇ＿ｍｉｎ
Ｃｂ０（ｈ，ｖ）＝ＩＤ８＿Ｃｂ（ｈ−ｈｓｉｚｅ，ｖ−ｖｓｉｚｅ）×Ｕｎｉｔ＿Ｙｂ＿ｍｉｎ／ＩＤ８＿Ｙｂ＿ｍｉｎ
・・・
［１２］ｈ＝３２０〜６３９，ｖ＝９００〜１０７９の初期輝度補正係数
Ｃｒ０（ｈ，ｖ）＝ＩＤ１２＿Ｃｒ（ｈ−ｈｓｉｚｅ，ｖ−５×ｖｓｉｚｅ）×Ｕｎｉｔ＿Ｙｒ＿ｍｉｎ／ＩＤ１２＿Ｙｒ＿ｍｉｎ
Ｃｇ０（ｈ，ｖ）＝ＩＤ１２＿Ｃｇ（ｈ−ｈｓｉｚｅ，ｖ−５×ｖｓｉｚｅ）×Ｕｎｉｔ＿Ｙｇ＿ｍｉｎ／ＩＤ１２＿Ｙｇ＿ｍｉｎ
Ｃｂ０（ｈ，ｖ）＝ＩＤ１２＿Ｃｂ（ｈ−ｈｓｉｚｅ，ｖ−５×ｖｓｉｚｅ）×Ｕｎｉｔ＿Ｙｂ＿ｍｉｎ／ＩＤ１２＿Ｙｂ＿ｍｉｎ
・・・
［３６］ｈ＝１６００〜１９１９，ｖ＝９００〜１０７９の初期輝度補正係数
Ｃｒ０（ｈ，ｖ）＝ＩＤ３６＿Ｃｒ（ｈ−５×ｈｓｉｚｅ，ｖ−５×ｖｓｉｚｅ）×Ｕｎｉｔ＿Ｙｒ＿ｍｉｎ／ＩＤ３６＿Ｙｒ＿ｍｉｎ
Ｃｇ０（ｈ，ｖ）＝ＩＤ３６＿Ｃｇ（ｈ−５×ｈｓｉｚｅ，ｖ−５×ｖｓｉｚｅ）×Ｕｎｉｔ＿Ｙｇ＿ｍｉｎ／ＩＤ３６＿Ｙｇ＿ｍｉｎ
Ｃｂ０（ｈ，ｖ）＝ＩＤ３６＿Ｃｂ（ｈ−５×ｈｓｉｚｅ，ｖ−５×ｖｓｉｚｅ）×Ｕｎｉｔ＿Ｙｂ＿ｍｉｎ／ＩＤ３６＿Ｙｂ＿ｍｉｎ
【００５４】
なお、上記の式において、Ｕｎｉｔ＿Ｙｒ＿ｍｉｎ／ＩＤ＊＿Ｙｒ＿ｍｉｎ，Ｕｎｉｔ＿Ｙｇ＿ｍｉｎ／ＩＤ＊＿Ｙｇ＿ｍｉｎ，Ｕｎｉｔ＿Ｙｂ＿ｍｉｎ／ＩＤ＊＿Ｙｂ＿ｍｉｎは、上述した補正係数に相当する。補正係数演算部２５は、上記の式のように、個別輝度補正係数に補正係数を乗じることによって初期輝度補正係数を求め、求めた初期輝度補正係数をパラメータ記憶部２８に記憶する。
【００５５】
ここで、各ＬＥＤユニット１００では、各ＬＥＤユニット１００内の複数のＬＥＤ１の輝度が均一になるように、個別輝度補正係数によって輝度が調整されている。このため、ＬＥＤコントロールユニット２００は、以上のような初期輝度補正係数を用いた補正を行なえば、初期調整時の全ＬＥＤユニット１０１の最少輝度値を、全ＬＥＤユニット１０１の輝度値の基準に設定することができる。このため、初期輝後度補正係数が、総合輝度補正係数として用いられても、複数のＬＥＤユニット１００同士の間の輝度ばらつき及び色度ばらつきを抑制する補正を行うことができる。
【００５６】
本実施の形態１では、輝度ばらつきなどをさらに抑制することができるように、非初期輝後度補正係数が、総合輝度補正係数として用いられる。その一例として、補正係数演算部２５は、全ＬＥＤユニット１０１の累積点灯時間に基づいて初期輝度補正係数を非初期輝度補正係数に変更し、輝度補正部１２は、非初期輝度補正係数に基づいて、映像信号に含まれる映像データの輝度を補正する。
【００５７】
ＬＥＤコントロールユニット２００は、輝度補正部１２によって補正された映像信号を、映像出力端子１７，１８，１９等を介して全ＬＥＤユニット１０１に送信する。各ＬＥＤユニット１００の駆動部４は、ＬＥＤコントロールユニット２００から送信された補正後の映像信号に基づいて、複数のＬＥＤ１を駆動する。このため、駆動部４は、総合輝度補正係数を用いて補正された映像信号に基づいて、複数のＬＥＤ１を駆動する。
【００５８】
本実施の形態１では、各ＬＥＤユニット１００内の駆動部４が、映像データ値に基づいて、複数のＬＥＤ１をＰＷＭ方式で駆動することにより、複数のＬＥＤ１の輝度が制御される。図４は、ＰＷＭ方式の駆動の一例を示す図である。図４には、ＰＷＭの基本周期が、映像信号の１フレーム期間以下の期間である場合が示されている。また、図４のパルス幅１には、パルス幅のデューティ比が例えば８５％である場合が示され、図４のパルス幅２には、パルス幅のデューティ比が例えば８０％である場合が示されている。
【００５９】
このように、駆動部４が、パルス幅のディーティ比、つまりＬＥＤ１の各色について単位時間当たりの点灯期間及び消灯期間を変えることで、人の目から見たＬＥＤ１の各色の輝度を調整することができる。輝度の補正においても、駆動部４がパルス幅のディーティ比を変更することで輝度調整が可能である。この場合、輝度補正部１２が輝度値を変更することによって、ＬＥＤ１ごとにパルス幅のディーティ比、つまり単位時間当たりの点灯期間及び消灯期間が変更され、その結果、ＬＥＤ１の輝度がＬＥＤ１ごとに異なるように調整される。
【００６０】
図５は、ＬＥＤ１内の緑（Ｇ）のＬＥＤについて、累積点灯時間と、輝度に対応する輝度維持率との関係を示した図である。図５に示されるように、ＬＥＤ１の輝度維持率は累積点灯時間とともに低下することになる。図５は、緑（Ｇ）ＬＥＤの輝度維持率を示しているが、赤（Ｒ）、青（Ｂ）のＬＥＤの輝度も同様に、累積点灯時間とともに低下する（図示せず）。
【００６１】
このようにＬＥＤ１の輝度は、累積点灯時間に応じて低下する。このことに鑑みて、本実施の形態１では、上述したように累積点灯時間に基づいて各ＬＥＤ１の輝度補正を行う。以下、このような補正動作、具体的には初期設置時の輝度補正後の輝度補正動作について詳細に説明する。
【００６２】
まず、ＬＥＤ１と同等のＬＥＤの各色について累積点灯時間及び輝度が事前に測定された後、測定結果に基づいて、各色の輝度維持率対累積点灯時間の近似式、または図６のようなテーブルが事前に作成される。そして、近似式またはテーブルが、パラメータ記憶部２８に事前に記憶される。
【００６３】
全ＬＥＤユニット１０１の全てのＬＥＤ１の各色の累積点灯時間が、図３のＬＥＤコントロールユニット２００の点灯時間記憶部２４に、一定の単位時間ごとに記憶される。例えば、単位時間が１時間であり、かつ点灯のディーティ比が１０％である場合には、１時間ごとに０．１時間の点灯時間が、点灯時間記憶部２４に記憶されている累積点灯時間に加算されることになる。なお、本実施の形態１では、累積点灯時間は、図３の輝度補正部１２からの出力に基づいて測定される。
【００６４】
補正係数演算部２５は、点灯時間記憶部２４に記憶される全ＬＥＤユニット１０１の各色の累積点灯時間と、パラメータ記憶部２８に記憶された各色の輝度維持率対累積点灯時間の近似式またはテーブルとに基づいて、全ＬＥＤユニット１０１の各色の輝度維持率を求める。
【００６５】
ここで、各画素のＲ輝度維持率、Ｇ輝度維持率、Ｂ輝度維持率を、Ｐｒ（ｈ，ｖ），Ｐｇ（ｈ，ｖ），Ｐｂ（ｈ，ｖ）とする。そして、実際の輝度の相対値を、Ｑｒ（ｈ，ｖ），Ｑｇ（ｈ，ｖ），Ｑｂ（ｈ，ｖ）とする。なお、ｈは、水平画素位置（０〜１９１９）であり、ｖは、垂直画素位置（０〜１０７９）である。
【００６６】
前述のように複数のＬＥＤ１には初期の輝度ばらつきがあるので、初期輝度補正係数Ｃｒ０（ｈ，ｖ），Ｃｇ０（ｈ，ｖ），Ｃｇ０（ｈ，ｖ）を用いた初期の輝度補正が行われる。この補正において輝度維持率を考慮した実際の輝度の相対値は下記の式で示される。
【００６７】
Ｑｒ（ｈ，ｖ）＝Ｐｒ（ｈ，ｖ）／Ｃｒ０（ｈ，ｖ）
Ｑｇ（ｈ，ｖ）＝Ｐｇ（ｈ，ｖ）／Ｃｇ０（ｈ，ｖ）
Ｑｂ（ｈ，ｖ）＝Ｐｂ（ｈ，ｖ）／Ｃｂ０（ｈ，ｖ）
【００６８】
補正係数演算部２５は、上記の式を用いて実際の輝度の相対値Ｑｒ（ｈ，ｖ），Ｑｇ（ｈ，ｖ），Ｑｂ（ｈ，ｖ）を求めた後、Ｒ，Ｇ，Ｂの全画素における、実際の輝度の相対値の最小値Ｑｒｇｂ＿ｍｉｎを求める。そして、補正係数演算部２５は、ＬＥＤ１の初期の輝度ばらつきと、累積点灯時間による輝度低下とを補正するための非初期輝度補正係数Ｃｒ１（ｈ，ｖ），Ｃｇ１（ｈ，ｖ），Ｃｇ１（ｈ，ｖ）を、下記の式を用いて求める。なお、ｈは水平画素位置（０〜１９１９）であり、ｖは垂直画素位置（０〜１０７９）である。
【００６９】
Ｃｒ１（ｈ，ｖ）＝Ｑｒｇｂ＿ｍｉｎ／Ｑｒ（ｈ，ｖ）
Ｃｇ１（ｈ，ｖ）＝Ｑｒｇｂ＿ｍｉｎ／Ｑｇ（ｈ，ｖ）
Ｃｂ１（ｈ，ｖ）＝Ｑｒｇｂ＿ｍｉｎ／Ｑｂ（ｈ，ｖ）
【００７０】
以上を小括すると、補正係数演算部２５は、一のＬＥＤユニット１００の累積点灯時間に基づいて、一のＬＥＤユニット１００の複数のＬＥＤ１のそれぞれの各色の輝度維持率を求める。同様に、補正係数演算部２５は、他のＬＥＤユニット１００の累積点灯時間に基づいて、他のＬＥＤユニット１００の複数のＬＥＤ１のそれぞれの各色の輝度維持率を求める。
【００７１】
そして、補正係数演算部２５は、初期輝度補正係数Ｃｒ０（ｈ，ｖ），Ｃｇ０（ｈ，ｖ），Ｃｇ０（ｈ，ｖ）を、一のＬＥＤユニット１００の輝度維持率と、他のＬＥＤユニット１００の輝度維持率とに基づいて、非初期輝度補正係数Ｃｒ１（ｈ，ｖ），Ｃｇ１（ｈ，ｖ），Ｃｇ１（ｈ，ｖ）に変更する。この非初期輝度補正係数は、総合輝度補正係数として用いられ、輝度補正部１２は、総合輝度補正係数に基づいて映像信号に含まれる映像データの輝度を補正する。
【００７２】
なお、非初期輝度補正係数Ｃｒ１（ｈ，ｖ），Ｃｇ１（ｈ，ｖ），Ｃｇ１（ｈ，ｖ）の計算及び輝度補正は、一定の時間周期（例えば１００時間）ごとに実施してもよいし、輝度低下の発生時（例えばＱｒｇｂ＿ｍｉｎが前回補正時のＱｒｇｂ＿ｍｉｎより１０％以上低下）に実施してもよい。
【００７３】
＜実施の形態１のまとめ＞
以上のような本実施の形態１によれば、例えば工場出荷時にＬＥＤユニット１００単位で輝度が均一となるように、個別輝度補正係数を用いて輝度調整を実施し、１画素ごとの個別輝度補正係数及び補正輝度を記憶する。そして、複数のＬＥＤユニット１００を組み合わせてＬＥＤ表示システムを構成する際に、ＬＥＤコントロールユニット２００は、全ＬＥＤユニット１０１から取得した補正輝度に基づいて補正係数を求め、当該補正係数と、全ＬＥＤユニット１０１から取得した個別輝度補正係数とに基づいて、各ＬＥＤユニット１００の表示に用いられる映像信号を補正する。これにより、複数のＬＥＤユニット１００同士の間における輝度ばらつきなどが抑制されるように、各ＬＥＤ１の輝度を調整することができる。また、初期設置の調整時間の短縮化も期待できる。さらに、各ＬＥＤユニットの輝度調整結果は各ＬＥＤユニットに記憶されているため、ＬＥＤ表示システムを構成する際に、外部にて輝度調査結果を示すファイル等を管理する必要がない。
【００７４】
また、各ＬＥＤユニット１００が、全ＬＥＤユニット１０１の全ＬＥＤ１における最下限の輝度を有するＬＥＤ１を含む可能性は低い。そのような状況下でＬＥＤユニット１００を同じ輝度に調整するためには、ＬＥＤの輝度ばらつきに対して十分余裕を持たせるように、輝度が十分に低い値に調整される。しかし、このことは、輝度を過度に低下させることになる。これに対して、本実施の形態１では、補正輝度がＬＥＤユニット１００ごとに記憶され、複数のＬＥＤユニット１００の補正輝度に基づいて、個別輝度補正係数の補正係数が求められるので、輝度が過度に低下することなく、ＬＥＤユニット１００の組み合わせの中において適切な輝度調整が可能である。
【００７５】
また、本実施の形態１では、ＬＥＤコントロールユニット２００は、全ＬＥＤユニット１０１のＬＥＤ１の累積点灯時間を管理する。これにより、初期設置後においても、複数のＬＥＤユニット１００同士の間で輝度ばらつきなどを抑制することができる。
【００７６】
ところで、ＬＥＤの累積点灯時間による輝度維持率のみで輝度補正を行えば、輝度維持率の最も低い輝度にそれ以外の輝度が揃えられるため、輝度が過度に低下する。このように初期設置時の輝度補正係数によって輝度を低下させている場合には、その低下分の輝度程度上昇させることが可能である。本実施の形態１では、累積点灯時間と、初期輝度補正係数とに基づいて各ＬＥＤユニット１００の表示に用いられる映像信号を補正するので、輝度が過度に低下することを抑制することができる。
【００７７】
＜実施の形態２＞
上記実施の形態１では、各ＬＥＤユニット１００が、個別輝度補正係数及び補正輝度をＬＥＤコントロールユニット２００に送信した。そして、ＬＥＤコントロールユニット２００内の補正係数演算部２５が、複数のＬＥＤユニット１００の補正輝度に基づいて補正係数を計算し、ＬＥＤコントロールユニット２００内の輝度補正部１２が、補正係数と個別輝度補正係数とに基づいて映像信号の輝度を補正した。
【００７８】
これに対して詳細は後述するが、本実施の形態２では、各ＬＥＤユニット１００は、個別輝度補正係数をＬＥＤコントロールユニット２００に送信せずに、補正輝度をＬＥＤコントロールユニット２００に送信する。そして、ＬＥＤコントロールユニット２００は、複数のＬＥＤユニット１００の補正輝度に基づいて補正係数を計算し、当該補正係数を各ＬＥＤユニット１００に送信する。各ＬＥＤユニット１００は、メモリ回路８に記憶された個別輝度補正係数と、ＬＥＤコントロールユニット２００から送信された補正係数とに基づいて映像信号の輝度を補正し、当該補正された映像信号に基づいて複数のＬＥＤ１を駆動するように構成されている。なお、本実施の形態２のシステムとしては、ＬＥＤの累積点灯時間による輝度低下を考慮しない簡易なシステムを想定している。
【００７９】
図７は、本実施の形態２に係るＬＥＤユニット１００の内部構成を示すブロック図であり、図８は、本実施の形態２に係るＬＥＤコントロールユニット２００の内部構成を示すブロック図である。図７の構成要素は、輝度補正部３１及びマイコン回路３２以外は図２に示す構成要素と同様であり、図８の構成要素は、制御回路３３及び補正係数演算部３５以外は図３に示す構成要素と同様である。このため、以下、輝度補正部３１、マイコン回路３２、制御回路３３及び補正係数演算部３５について主に説明する。
【００８０】
図７のＬＥＤユニット１００のマイコン回路３２は、メモリ回路８に記憶されている、個別輝度補正係数によって補正された各ＬＥＤ１の輝度である補正輝度Ｙｒ＿ｍｉｎ，Ｙｇ＿ｍｉｎ，Ｙｂ＿ｍｉｎを、通信部９から端子６を介してＬＥＤコントロールユニット２００に送信する。
【００８１】
図８の制御回路３３が備える補正係数演算部３５は、内部間通信制御部２７を介して入力される各ＬＥＤユニット１００の補正輝度の中から、全ＬＥＤユニット１０１における補正輝度の最小値Ｕｎｉｔ＿Ｙｒ＿ｍｉｎ，Ｕｎｉｔ＿Ｙｇ＿ｍｉｎ，Ｕｎｉｔ＿Ｙｂ＿ｍｉｎを求める。そして、補正係数演算部３５は、補正輝度と、求めた最小値とに基づいて、コントロールユニット単位の補正係数を求める。本実施の形態２の補正係数は、実施の形態１の補正係数と同様、Ｕｎｉｔ＿Ｙｒ＿ｍｉｎ／ＩＤ＊＿Ｙｒ＿ｍｉｎ，Ｕｎｉｔ＿Ｙｇ＿ｍｉｎ／ＩＤ＊＿Ｙｇ＿ｍｉｎ，Ｕｎｉｔ＿Ｙｂ＿ｍｉｎ／ＩＤ＊＿Ｙｂ＿ｍｉｎである。
【００８２】
ＬＥＤコントロールユニット２００の内部間通信制御部２７は、補正係数演算部３５で求めた、全ＬＥＤユニット１０１の輝度を均一化するための補正係数を、ＬＥＤユニット制御端子２１，２２，２３を介して全ＬＥＤユニット１０１に送信する。なお、本実施の形態２では、ＬＥＤコントロールユニット２００内では映像信号に対する輝度補正の処理は行われず、映像信号処理回路１１から出力された映像信号がそのまま、映像信号分割転送部１４，１５，１６を介して全ＬＥＤユニット１０１に送信される。
【００８３】
図７のＬＥＤユニット１００のマイコン回路３２は、ＬＥＤコントロールユニット２００から通信部９に送信された補正係数を受信する。そして、マイコン回路３２は、メモリ回路８内に記憶されている個別輝度補正係数と、ＬＥＤコントロールユニット２００から送信された補正係数とを、輝度補正部３１に出力する。
【００８４】
輝度補正部３１は、個別輝度補正係数と補正係数とに基づいて、実施の形態１で説明した補正係数演算部２５と同様に、初期輝度補正係数を求める。本実施の形態２では、初期輝度補正係数は総合輝度補正係数として用いられ、輝度補正部３１は、総合輝度補正係数に基づいて、補正すべき映像データを補正する。なお、本実施の形態２では、補正すべき映像データは、映像信号処理回路３で処理された映像信号に含まれる映像データであり、上記補正は、映像データの輝度に総合輝度補正係数を乗じることによって行われる。
【００８５】
駆動部４は、輝度補正部３１で補正された映像信号に基づいて、複数のＬＥＤ１を駆動する。
【００８６】
＜実施の形態２のまとめ＞
以上のような本実施の形態２によれば、例えば工場出荷時にＬＥＤユニット１００単位で輝度が均一となるように、個別輝度補正係数を用いて輝度調整を実施し、１画素ごとの個別輝度補正係数及び補正輝度を記憶する。そして、複数のＬＥＤユニット１００を組み合わせてＬＥＤ表示システムを構成する際に、ＬＥＤコントロールユニット２００は、全ＬＥＤユニット１０１から取得した補正輝度に基づいて補正係数を求める。それから、各ＬＥＤユニット１００は、ＬＥＤコントロールユニット２００で求められた補正係数と、メモリ回路８に記憶された個別輝度補正係数とに基づいて、各ＬＥＤユニット１００の表示に用いられる映像信号を補正する。これにより、実施の形態１と同様に、複数のＬＥＤユニット１００同士の間における輝度ばらつきなどを抑制することができるなどの効果を得ることができる。
【００８７】
なお、本発明は、その発明の範囲内において、各実施の形態及び各変形例を自由に組み合わせたり、各実施の形態及び各変形例を適宜、変形、省略したりすることが可能である。
【符号の説明】
【００８８】
１  ＬＥＤ、４  駆動部、８  メモリ回路、９  通信部、３１  輝度補正部、１００  ＬＥＤユニット、２００  ＬＥＤコントロールユニット。
【図１】
2018109725.tif 000003
【図２】
2018109725.tif 000004
【図３】
2018109725.tif 000005
【図４】
2018109725.tif 000006
【図５】
2018109725.tif 000007
【図６】
2018109725.tif 000008
【図７】
2018109725.tif 000009
【図８】
2018109725.tif 000010